(57)【要約】【課題】蓋部材やその破片が容器中に落ち込むことなく、容器の開栓と同時にキャップに仕込んだ溶解物質を容器内の液体に容易かつ確実に落下投入することができるキャップを提供する。【解決手段】外側キャップ１２と、外側キャップ１２内に螺着される内側キャップ３０とからなる液体容器密封用キャップ１０であって、外側キャップ１２の内側に配設された溶解物質収容部２４と、内側キャップ３０に支持された状態で、容器１の密封時には収容部２４の下部開口部を密封状態に蓋をする一方、容器１の開栓時に外側キャップ１２を内側キャップ３０に対して回転させたときには収容部２４の下部開口部を開放する蓋部材３８とを備えている。【選択図】図１
2005126113.tif 000002
【特許請求の範囲】
【請求項１】
外側キャップと、前記外側キャップ内に螺着される内側キャップとからなる液体容器密封用キャップであって、前記外側キャップの内側に配設された溶解物質収容部と、前記内側キャップに支持された状態で、前記容器の密封時には前記収容部の下部開口部を密封状態に蓋をする一方、前記容器の開栓時に前記外側キャップを前記内側キャップに対して回転させたときには前記収容部の下部開口部を開放する蓋部材とを備えたことを特徴とするキャップ。
【請求項２】
前記蓋部材は、前記内側キャップと一体であることを特徴とする請求項１に記載のキャップ。
【請求項３】
前記蓋部材は、補強リブによって補強されていることを特徴とする請求項２に記載のキャップ。
【請求項４】
前記蓋部材は、前記内側キャップとは別部材であることを特徴とする請求項１に記載のキャップ。
【請求項５】
前記外側キャップは、容器開栓時に回転されたときに破断する破断線を有することを特徴とする請求項１に記載のキャップ。
【請求項６】
前記外側キャップへの螺着時には前記外側キャップに対する前記内側キャップの回転を許容する一方、前記容器開栓時には前記内側キャップに対する前記外側キャップの回転を禁止するラチェット部が前記破断線より下側に設けられていることを特徴とする請求項５に記載のキャップ。
【請求項７】
前記内側キャップの下部内側には、前記容器に装着されたときに前記容器の口部周囲に形成された係合凹部に嵌り込む係合凸部が設けられていることを特徴とする請求項１に記載のキャップ。
【請求項８】
前記容器口部と前記内側キャップとの連結部、および、前記内側キャップの上端部と前記外側キャップとの連結部を凹凸嵌合構造としたことを特徴とする請求項１に記載のキャップ。
【発明の詳細な説明】
【技術分野】
【０００１】
本発明は、容器開栓時に例えば粉末状の溶解物質が容器内の液体に落下投入されるようにしたキャップに関する。
【背景技術】
【０００２】
従来、医薬品の分野において、液体を収容した容器のキャップ内に例えば粉末状の薬剤を仕込んでおき、キャップの開栓時に前記薬剤を容器内の液体に溶解させてから使用または飲用するものがある。
【０００３】
その方法として、キャップの内側に薬剤を収容した収容部が設けてあり、その収容部の下部開口部に蓋またはアルミシールで栓をしておき、開栓時にラムネの栓を開けるようにして前記蓋を落とし開けるか、または、前記アルミシールに穴を開けることにより、前記収容部内の薬剤を容器内に落下投入する方法がある。
【０００４】
または、キャップの内側収容部に密封状態に仕込まれた薬剤が開栓時にキャップを緩めたときに密封状態が解かれるようにしておき、その密封状態が解かれたときに容器を逆さま（すなわち容器口部が下向きの状態）にして液体を前記内側収容部内に流し入れて前記薬剤を溶かし、その後、容器口部が上向きの状態に戻して容器内の液体を使用または飲用する方法が採られていた。
【発明の開示】
【発明が解決しようとする課題】
【０００５】
しかしながら、上述した従来の方法では次のような問題がある。すなわち、キャップ内側の薬剤収容部の蓋を開ける方法では、前記蓋が容器内の液体中に落ち込むことになるし、または、アルミシールに穴を開ける方法ではアルミシールの破片が容器内の液体中に混入する可能性があり、いずれにしても好ましくない。
また、容器を逆さまにして薬剤を溶かす方法では、キャップを緩めた状態で容器を逆さまにすると液漏れを起こすという問題がある。
【課題を解決するための手段】
【０００６】
そこで、前記問題を解決するために本発明は、外側キャップと、前記外側キャップ内に螺着される内側キャップとからなる液体容器密封用キャップであって、前記外側キャップの内側に配設された溶解物質収容部と、前記内側キャップに支持された状態で、前記容器の密封時には前記収容部の下部開口部を密封状態に蓋をする一方、前記容器の開栓時に前記外側キャップを前記内側キャップに対して回転させたときには前記収容部の下部開口部を開放する蓋部材とを備えたことを特徴とするものである。
【０００７】
前記構成からなる本発明のキャップでは、容器開栓時に外側キャップを回転させたときに外側キャップの収容部の下部開口部の蓋が開いて、収容部内の溶解物質が容器内の液体に落下投入されて溶解される。この際、前記蓋は、内側キャップに支持された状態のままであるので、容器内の液体中に落ち込むことない。また、容器を逆さまにする必要がないので、液漏れが発生することもない。
【０００８】
本発明のキャップにおいて、前記蓋部材は、前記内側キャップと一体であってもよい。
この場合、前記蓋部材は、補強リブによって補強されていてもよい。
このようにすれば、キャップを構成する部品数が２つになって少なくて済み、また、補強リブによって補強することで蓋部材の密封強度を確保することができる。
【０００９】
また、本発明のキャップにおいて、前記蓋部材は、前記内側キャップとは別部材であってもよい。
【００１０】
また、本発明のキャップにおいて、前記外側キャップは、容器開栓時に回転されたときに破断する破断線を有していてもよい。
このようにすれば、破断線が破断しているかどうかで容器が開栓されたかどうかを外見上容易に判断することができる。
【００１１】
また、本発明のキャップにおいて、前記外側キャップへの螺着時には前記外側キャップに対する前記内側キャップの回転を許容する一方、前記容器開栓時には前記内側キャップに対する前記外側キャップの回転を禁止するラチェット部が前記破断線より下側に設けられていてもよい。
このようにすれば、容器開栓時に、固定された内側キャップに対する外側キャップの回転が禁止されることで、外側キャップを回転させようとひねったときに前記破断線にて外側キャップを確実に破断させることができる。
【００１２】
また、本発明のキャップにおいて、前記内側キャップの下部内側には、前記容器に装着されたときに前記容器の口部周囲に形成された係合凹部に嵌り込む係合凸部が設けられていてもよい。
このようにすれば、容器口部にキャップを押し付けることで、内側キャップの係合凹部が容器口部周囲の係合凹部に嵌り込み、キャップを容器にワンタッチで装着することができる。
【００１３】
また、本発明のキャップにおいて、前記容器口部と前記内側キャップとの連結部、および、前記内側キャップの上端部と前記外側キャップとの連結部を凹凸嵌合構造としてもよい。
このようにすれば、溶解物質を溶かした液体を何度かに分けて使用する場合にも、その都度外側キャップを締め付けておけば、容器口部と内側キャップとの連結部、および、内側キャップの上端部と外側キャップとの連結部が凹凸嵌合構造になっていることで、容器を横にしたり逆さにしても容器からの液漏れを確実に防止することができる。
【発明の効果】
【００１４】
本発明のキャップによれば、容器の開栓と同時にキャップに仕込んだ溶解物質を容器内の液体に容易かつ確実に落下投入することができ、その際、蓋部材やその破片が容器中に落ち込むことはなく、しかも、容器を逆さまにする必要がないので液漏れが発生することもない。
【発明を実施するための最良の形態】
【００１５】
以下に、本発明の実施の形態について添付図面を参照して説明する。
図１は、本発明の第１実施形態のキャップ１０が液体を収容した容器１の口部２に装着された状態を縦断面で示す。このキャップ１０は、外側キャップ１２と、この外側キャップ１２内に螺着された内側キャップ３０とからなっている。外側キャップ１２は例えばポリプロピレンから成形されており、内側キャップ３０は例えばポリエチレンから成形されている。
【００１６】
外側キャップ１２は、上端部が円盤状の天面部１４で閉じられた段付き円筒形状をなしている。外側キャップ１２の円筒部の内周面には、雌ねじ１６が形成されている。また、外側キャップ１２の拡径した下部円筒部からなるスカート部１８の上部には、破断線となるミシン目線２０が形成されている。さらに、スカート部の内周面であってミシン目線２０より下側には、後述するラチェット部を構成する複数の歯部２２が形成されている。
【００１７】
外側キャップ１２の内側であって天面部１４の裏面には、例えば粉末状薬剤等の溶解物質を収容する円筒状の収容部２４が突設されており、この収容部２４の下部は開口部となっている。なお、収容部２４内の空間形状は、円柱状に限らず、溶解物質収容空間を形成できれば角柱状や他の形状であってもよい。
【００１８】
一方、内側キャップ３０は、上下端部ともに開口した段付き円筒形状をなしている。内側キャップ３０の外周面には、雄ねじ３２が形成されている。この雄ねじ３２を外側キャップ１２の雌ねじ１６に螺合させることにより、外側キャップ１２内に内側キャップ３０が螺着されるようになっている。
【００１９】
また、内側キャップ３０の内部には、蓋部材３８が配設されている。蓋部材３８は、図３に示すように半円板からなり、内側キャップ１２の内面に一体に連結されて支持されている。このように蓋部材３８を内側キャップ１２と一体とすることで、キャップ１０を構成する部品数が２つ（外側キャップ１２と内側キャップ３０）になって少なくて済む。蓋部材３８は、キャップ１０が容器１を密封するように装着されているときには外側キャップ１２の収容部２４の下部開口部を密封状態に蓋をするものである。また、蓋部材３８は、複数の棒状補強リブ４０，４２，４３，４４によって補強されており、これにより収容部２４の密封強度が確保されている。
【００２０】
なお、蓋部材３８の形状は、半円形状に限らず、外側キャップ１２に内側キャップ３０を螺着したときに収容部２４の下部開口部に蓋をすることができ、かつ、後述するように容器開栓時に収容部２４の下部開口部を開放できる形状であればどのような形状であってもよい。
また、蓋部材３８による収容部２４の密封状態を良好にするために、内側キャップ３０を外側キャップ１２に螺着したときに蓋部材３８が収容部２４によって押されることで僅かに撓むように蓋部材３８の材質（硬さ）や寸法条件を選定するのが好ましい。
さらに、蓋部材３８だけで収容部２４の密封強度が確保されれば補強リブを必ずしも設けなくてもよいが、補強リブ４３，４４は内側キャップ３０を螺着するときのつまみ部の役割も果たしている。
【００２１】
内側キャップ３０の拡径した下部円筒部からなるスカート部３４には、外側キャップ１２の歯部２２と共にラチェット部を構成する複数の凹部３６が形成されている。図２に示すように、ラチェット部を構成する歯部２２は垂直面と傾斜面とで形成され、ラチェット部を構成する凹部３６もまた垂直面と傾斜面とで形成されている。固定された外側キャップ１２に対して内側キャップ３０を矢印Ｍ方向に回転させて螺着するとき、歯部２２の傾斜面が内側キャップの外周面または凹部３６の傾斜面に当接することにより、外側キャップ１２が僅かに拡径し、その結果、内側キャップ３０の矢印Ｍ方向への回転が許容されるようになっている。一方、後述するように容器開栓時において、固定された内側キャップ３０に対して外側キャップ３０を矢印Ｎ方向に回転させるとき、歯部２２の垂直面が凹部３６の垂直面に当接することにより、この方向への外側キャップ１２の回転が禁止されるようになっている。このようにラチェット部を設けることにより、容器開栓時に、固定された内側キャップ３０に対する外側キャップ１２の回転が禁止されることで、外側キャップ１２を回転させようとひねったときにミシン目線２０にて外側キャップ１２を確実に破断させることができる。
【００２２】
内側キャップ３０のスカート部３４の下部内側には、径方向内側に向かって突出する係合凸部４６が設けられている。この係合凸部４６は、後述するようにキャップ１０を容器１の口部２に装着したときに、容器口部２の周囲に形成された係合凹部３に嵌り込むようになっている。なお、容器１にキャップ１０が装着されたときに容器１に対して内側キャップ３０が回転しないようにするために、内側キャップ３０の係合凸部４６および容器１の係合凹部３の各表面に回り止めとなる微小凹凸またはラチェット部を設けるのが好ましい。
【００２３】
図１に示すように、容器口部２と内側キャップ３０との連結部４８、および、内側キャップ３０の上端部と外側キャップ１２との連結部５０は、凹凸嵌合構造にしてある。このように構成することで、溶解物質を溶かした容器１内の液体を何度かに分けて使用する場合にも、その都度外側キャップ１２を締め付けておけば、容器１を横にしたり逆さにしても容器１からの液漏れを確実に防止することができる。
【００２４】
続いて、上述した構成からなるキャップ１０の組み付け、容器１への装着、および、開栓操作について説明する。
まず、外側キャップ１２を逆さまにした状態（すなわち収容部２４の下部開口部が上を向いた状態）で収容部２４内に例えば粉末状薬剤等の溶解物質を入れてから、その状態のままで外側キャップ１２内に内側キャップ３０を螺着して組み付ける。これにより、外側キャップ１２の収容部２４の下部開口部は、内側キャップ３０の蓋部材３８によって密封状態に蓋がなされる。
【００２５】
そして、このようにして組み付けられたキャップ１０を容器１の口部２に被せて押し付ける。これにより、内側キャップ３０の係合凸部４６が容器１の係合凹部３に嵌り込むことでキャップ１０が容器１にワンタッチで装着され、容器１は密封状態に栓がなされる。
【００２６】
容器１に装着されたキャップ１０を開栓する際には、容器１を固定した状態で外側キャップ１２を上から見て反時計回り方向に回転させるようにひねる。すると、内側キャップ３０は容器１に対して回転しないように係合しており、かつ、外側キャップ１２のスカート部１８はラチェット部２２，３６によって回転が禁止されているため、内側キャップ３０に対して回転しつつねじが緩んで持ち上がろうとする外側キャップ１２はミシン目線２０で上下に破断する。このように外側キャップ１２のミシン目線２０が破断しているかどうかで、容器１が開栓されたかどうかを外見上容易に判断することができる。
【００２７】
その後、スカート部１８から破断した外側キャップ１０の上側部分が回転することより、図３中に破線で示すように収容部２４が蓋部材３８から外れた位置まで来ると、収容部２４の下部開口部が開放される。これにより、収容部２４内の溶解物質が落下して容器１内の液体に投入される。そして、溶解物質が溶けた後に、液体が使用または飲用に供される。
【００２８】
このように本実施形態のキャップ１０によれば、容器１の開栓と同時にキャップ１０に仕込んだ溶解物質を容器１内の液体に容易かつ確実に落下投入することができ、その際、蓋部材３８やその破片が容器１内に落ち込むことがなく、しかも、容器１を逆さまにする必要がないので液漏れが発生することもない。
【００２９】
次に、本発明の第２実施形態のキャップ６０について図４，５を参照して説明する。なお、キャップ６０は上述したキャップ１０と類似の構成を備えているため、キャップ１０と同一構成については同一符号を付して説明を省略する。
【００３０】
図４に示すように、本実施形態のキャップ６０を構成する外側キャップ１２は、第１実施形態のキャップ１０の外側キャップ１２とほぼ同じである。一方、本実施形態のキャップ６０では、外側キャップ１２の溶解物質収容部２４の下部開口部に蓋をする蓋部材３９が内側キャップ３１とは別部材として構成されている。蓋部材３９は、例えばポリエチレンで成形されており、収容部２４の下部開口部に挿入される部分に径方向外側に突出する係合凸部を有している。これに対し、収容部２４の下部開口部の内側には、円環状の係合凹部が形成されている。これにより、蓋部材３９を収容部２４の下部開口部に押し込むと、蓋部材３９の係合凸部が収容部２４の係合凹部に嵌り込むことによって、蓋部材３９がパチンと装着されて収容部２４の下部開口部が密封状態に蓋されるようになっている。また、蓋部材３９は、収容部２４に挿入される側とは反対側の端部の外周縁部にも径方向外側に突出する係合凸部４１を有している。
【００３１】
一方、内側キャップ３１内には、図４，５に示すように、十字形のリブ６２，６４が一体成形されている。リブ６２，６４の交差部には、上方（すなわち外側キャップ１２の天面部１４側）に突出する軸部６６が一体成形されており、その軸部６６の端部周囲に係合凹部６８が形成されている。
【００３２】
前記軸部６６の周囲には、リブ６２，６４から円筒状に突出する２つの同心状の押えリブ７０，７２が一体成形されている。押えリブ７０，７２は、内側キャップ３１が外側キャップ１２内に螺着されたときに、蓋部材３９を押えつけるようになっている。押えリブ７０，７２の外側には、軸部６６を中心とする円筒状の支持リブ７４がリブ６２，６４に一体成形されており、支持リブ７４の端部内側には軸部６６と同様に円環状の係合凹部６８が形成されている。
【００３３】
続いて、前記構成からなるキャップ６０の組み付け、容器１への装着、および、開栓操作について説明する。
まず、外側キャップ１２を逆さまにした状態（すなわち収容部２４の下部開口部が上を向いた状態）で収容部２４内に例えば粉末状薬剤等の溶解物質を入れてから、そのままの状態で蓋部材３９を収容部２４に押し込んで密封状態に蓋をする。
【００３４】
その後、外側キャップ１２内に内側キャップ３１を螺着して組み付ける。このとき、内側キャップ３１をねじ込むときの最終段階において、蓋部材３９の係合凸部４１が内側キャップ３１の軸部６６および支持リブ７４の各係合凹部６８に嵌り込んで係合するとともに、押えリブ７０，７２が蓋部材３９を押えつけることで収容部２４の密封力が増すことになる。
【００３５】
そして、このようにして組み付けられたキャップ６０を容器１の口部２に被せて押し付ける。これにより、内側キャップ３１の係合凸部４６が容器１の係合凹部３に嵌り込むことでキャップ６０が容器１にワンタッチで装着され、容器１は密封状態に栓がなされる。
【００３６】
容器１に装着されたキャップ６０を開栓する際には、容器１を固定した状態で外側キャップ１２を上から見て反時計回り方向に回転させるようにひねる。すると、内側キャップ３１は容器１に対して回転しないように係合しており、かつ、外側キャップ１２のスカート部１８はラチェット部２２，３６によって回転が禁止されているため、内側キャップ３１に対して回転しつつねじが緩んで持ち上がろうとする外側キャップ１２はミシン目線２０で上下に破断する。
【００３７】
その後、外側キャップ１２をさらに回転させると、外側キャップ１２は内側キャップ３１に対して上昇するが、このとき蓋部材３９の係合力は外側キャップ１２の回収部２４側よりも内側キャップ３１の軸部６６および支持リブ７４側の方が強いために、蓋部材３９は外側キャップ１２の回収部２４の下部開口部から外れて内側キャップ３１に支持された状態になる。
【００３８】
これにより、回収部２４の下部開口部が開放され、内部に収容された溶解物質が十字リブ６２，６４、押えリブ７０，７２、保持リブ７４間に形成された隙間を介して落下して容器１内の液体に投入される。そして、溶解物質が溶けた後に、液体が使用または飲用に供される。
【００３９】
このように本実施形態のキャップ６０によれば、容器１の開栓と同時にキャップ６０に仕込んだ溶解物質を容器１内の液体に容易かつ確実に落下投入することができ、その際、蓋部材３９やその破片が容器１内に落ち込むことがなく、しかも、容器１を逆さまにする必要がないので液漏れが発生することもない。
【００４０】
なお、本発明において、外側キャップ１２の収容部２４に収容される溶解物質は、粉末状のものに限らず、他の形態のもの（例えば、粒状物、固形物など）であってもよい。
【００４１】
また、本発明のキャップは、樹脂製容器およびガラス製容器のいずれにも使用可能である。
【図面の簡単な説明】
【００４２】
【図１】第１実施形態のキャップ１０の断面図。
【図２】図１におけるＡ−Ａ線断面図。
【図３】ラチェット部を示す断面図。
【図４】第２実施形態のキャップ６０の断面図。
【図５】図４におけるＢ−Ｂ線断面図。
【符号の説明】
【００４３】
１…容器
２…口部
３…係合凹部
１０，６０…キャップ
１２…外側キャップ
１４…天面部
１６…雌ねじ
１８…スカート部
２０…ミシン目線（破断線）
２２，３６…ラチェット部
２４…溶解物質収容部
３０，３１…内側キャップ
３２…雄ねじ
３４…スカート部
３８，３９…蓋部材
４０，４２，４３，４４…補強リブ
【図１】
2005126113.tif 000003
【図２】
2005126113.tif 000004
【図３】
2005126113.tif 000005
【図４】
2005126113.tif 000006
【図５】
2005126113.tif 000007